(57)【要約】【課題】子どもであっても簡単に、筒型発射体を発射させることができる発射体の発射装置を提供する。【解決手段】発射体の発射装置１は、装置本体３０を有する。装置本体３０には、案内軸２と、案内軸２に沿って摺動する摺動部材１０と、摺動部材１０に形成され、筒型飛行体１００を嵌合して取り付ける嵌合部材１１と、摺動部材１０を一方に付勢する弾性部材６と、弾性部材６の弾性に抗して摺動部材１０を他方向に移動させた位置で摺動部材１０を係止する係止手段５０と、係止手段５０の係止を解除して、弾性部材６の弾性により摺動部材１０を一方に移動させ、嵌合部材１１に嵌合している筒型発射体１００を一方向に発射させる解除手段６０とが設けられている。【選択図】        図１
2004215957.tif 000002
【特許請求の範囲】
【請求項１】
発射体の発射装置であって、装置本体と、前記装置本体と弾性部材を介して連結された摺動部材であって、前記装置本体に対し移動することにより、前記発射体が発射される方向および前記発射体を回転させる方向に前記弾性部材に弾性力を蓄積可能な前記摺動部材と、前記摺動部材に設けられ、前記発射体と嵌合し取付可能な嵌合部材とからなることを特徴とする発射体の発射装置。
【請求項２】
前記発射体が筒型形状であることを特徴とする請求項１記載の発射体の発射装置。
【請求項３】
装置本体には、案内軸と、案内軸に沿って摺動する摺動部材と、摺動部材に形成され、筒型発射体を嵌合して取り付ける嵌合部材と、摺動部材を一方に付勢する弾性部材と、弾性部材の弾性に抗して摺動部材を他方向に移動させた位置で摺動部材を係止する係止手段と、係止手段の係止を解除して、弾性部材の弾性により摺動部材を一方に移動させ、嵌合部材に嵌合している筒型発射体を一方向に発射させる解除手段とが設けられていることを特徴とする発射体の発射装置。
【請求項４】
弾性部材は、コイルスプリング状に形成され、一端が摺動部材に係止され、他端が装置本体に係止され、弾性により摺動部材を回転させることができるようになっていることを特徴とする請求項３記載の発射体の発射装置。
【請求項５】
装置本体には、係止手段により係止された摺動部材を弾性部材の弾性に抗して一方向のみ回転可能にする逆転防止手段が設けられていることを特徴とする請求項４記載の発射体の発射装置。
【請求項６】
装置本体には、解除手段をロックして解除不能にするロック手段が設けられていること特徴とする請求項３、４又は５記載の発射体の発射装置。
【請求項７】
嵌合部材の周囲には、筒型発射体の内側面に形成された第１の係合部に係合する第２の係合部が形成されていること特徴とする請求項３乃至６のいずれか１項に記載の発射体の発射装置。
【発明の詳細な説明】
【０００１】
【発明の属する技術分野】
本願発明は、弾性部材の弾発力により発射体を発射する装置に関する。
【０００２】
【従来の技術】
従来の弾性部材の弾発力により発射体を発射する発射装置は、弾性部材を発射する方向と平行な方向に変形させ、弾発力を蓄積するものであった（例えば、特許文献１）。また、筒型発射体は、筒状に形成された本体を把持し、開口部を飛ばす方向に向けて、本体を回転させるようにして投げると、本体内に空気が流れるようにして飛行する（例えば、特許文献２）。
【０００３】
【特許文献１】
実開昭５０−１４０５９３号公報
【特許文献２】
特開昭５４−２６１４４号公報
【０００４】
【発明が解決しようとする課題】
上記従来の発射装置は、飛行体に対して加えられる弾性部材の弾発力の方向は、発射される方向のみであり、発射体を回転させる方向に弾発力を加えることはできなかった。すなわち、例えば筒型発射体のように飛ばす方向に向けて、発射体を回転させるようにして投げなければ、所望する方向に飛ばすことが出来ない発射体を発射するには適していなかった。そのため経験とある程度の力が必要であり、子どもにとって飛ばすことは難しいという問題点があった。また、弾を弾性部材の弾発力により発射する発射装置はあったが、上記筒型発射体を発射する発射装置は存在しなかった。
【０００５】
本願発明は、上記問題点に鑑み発明されたものであって、弾性部材の弾発力によって発射体を発射する発射装置において、発射体に対し発射する方向と平行な方向のみならず、発射体を回転させる方向にも弾性部材の弾発力を加えることが可能な発射装置、特に筒型発射体を発射するのに適した発射装置を提供することを第１の目的とする。また、本願発明は、筒型発射体を弾性力の弾発力により発射する発射装置を提供することを第２の目的とする。
【０００６】
【課題を解決するための手段】
本願請求項１記載の発射体の発射装置は、上記第１の目的を達成するため、装置本体と、前記装置本体と弾性部材を介して連結された摺動部材であって、前記装置本体に対し移動することにより、前記発射体が発射される方向および前記発射体を回転させる方向に前記弾性部材に弾性力を蓄積可能な前記摺動部材と、前記摺動部材に設けられ、前記発射体と嵌合し取付可能な嵌合部材とからなる。
【０００７】
本願請求項２記載の発射体の発射装置は、上記第１の目的を達成するため、前記発射体が筒型形状である。
【０００８】
本願請求項３記載の発射体の発射装置は、上記第２の目的を達成するため、装置本体には、案内軸と、案内軸に沿って摺動する摺動部材と、摺動部材に形成され、筒型発射体を嵌合して取り付ける嵌合部材と、摺動部材を一方に付勢する弾性部材と、弾性部材の弾性に抗して摺動部材を他方向に移動させた位置で摺動部材を係止する係止手段と、係止手段の係止を解除して、弾性部材の弾性により摺動部材を一方に移動させ、嵌合部材に嵌合している筒型発射体を一方向に発射させる解除手段とが設けられている。
【０００９】
本願請求項４記載の発射体の発射装置は、上記第２の目的を達成するため、前記弾性部材は、コイルスプリング状に形成され、一端が摺動部材に係止され、他端が装置本体に係止され、弾性により摺動部材を回転させることができるようになっている。
【００１０】
本願請求項５記載の発射体の発射装置は、上記第２の目的を達成するため、前記装置本体には、係止手段により係止された摺動部材を弾性部材の弾性に抗して一方向のみ回転可能にする逆転防止手段が設けられている。
【００１１】
本願請求項６記載の発射体の発射装置は、上記第２の目的を達成するため、前記装置本体には、解除手段をロックして解除不能にするロック手段が設けられている。
【００１２】
本願請求項７記載の発射体の発射装置は、上記第２の目的を達成するため、前記嵌合部材の周囲には、筒型発射体の内側面に形成された第１の係合部に係合する第２の係合部が形成されている。
【００１３】
【発明の実施の形態】
本願発明に係る発射体の発射装置の実施の形態を、図１乃至図６に基づいて説明する。図１は、本願発明に係る発射体の発射装置の一つの実施の形態を示す全体斜視図である。図２は、図１の発射体の発射装置の分解斜視図である。図３は、図１の側面断面図である。図４は、図３の動きを説明する側面断面図である。図５は、図１の要部断面図である。図６は、発射体の一例である筒型発射体の斜視図である。
【００１４】
発射体の発射装置１は、装置本体３０と、前記装置本体３０と弾性部材６を介して連結された摺動部材１０であって、前記装置本体３０に対し移動することにより、前記発射体１００が発射される方向および前記発射体１００を回転させる方向に前記弾性部材６に弾性力を蓄積可能な前記摺動部材１０と、前記摺動部材１０に設けられ、前記発射体１０６と嵌合し取付可能な嵌合部材１１とからなる。前記発射体１００は、筒型形状であっても良い。
【００１５】
発射体の発射装置１は、装置本体３０を有する。装置本体３０には、案内軸２と、案内軸２に沿って摺動自在であって、且つ、案内軸２の周囲を回転自在な摺動部材１０と、摺動部材１０に形成され、例えば筒型の発射体１００を嵌合して取り付ける嵌合部材１１と、摺動部材１０を一方（発射体１００を発射する方向）に付勢する弾性部材６と、弾性部材６の弾性に抗して摺動部材１０を他方向に移動させた位置で摺動部材１０を係止する係止手段５０と、係止手段５０の係止を解除して、弾性部材６の弾性により摺動部材１０を一方に移動させ、嵌合部材１１に嵌合している発射体１００を一方向に発射させる解除手段６０とが設けられている。
【００１６】
上記弾性部材６は、コイルスプリング状に形成され、一端６ａが摺動部材１０に係止され、他端６ｂが装置本体３０に係止されている。前記摺動部材１０は、該弾性部材６の弾性により案内部材２の周囲を回転可能となっている。上記装置本体３０には、係止手段５０により係止された摺動部材１０を弾性部材６の弾性に抗して案内軸２の円周方向の一方向のみ回転可能とし、他方向に回転不可能にする逆転防止手段８０が設けられている。
【００１７】
さらに、上記装置本体３０には、解除手段６０をロックして解除不能にするロック手段７０が設けられている。また、上記嵌合部材１１の周囲には、発射体１００に形成された第１の係合部１０３（例えば、第１の係合部は筒型発射体の場合、その内側面１０１に形成される）に係合する第２の係合部１２が形成されている。
【００１８】
発射体の発射装置１の実施の形態について詳細に説明する。なお、発射体の一例として筒型発射体を用いるが、本発明における発射体の形状はこれに限定されるものではない。しかし、本発明に係る発射装置が、特に筒型発射体を発射するのに適していることは前述のとおりである。最初に案内軸２について説明する。案内軸２は、金属、硬質合成樹脂等によって、丸軸状に形成され、前部に透孔３が形成され、後部に等間隔で複数の取付孔５・・が形成されている。案内軸２には、摺動部材１０が摺動自在に設けられ、さらにコイルスプリング状の弾性部材６が巻装されている。
【００１９】
摺動部材１０は、筒状に形成され、略中央部に円板状の嵌合部材１１が設けられている。嵌合部材１１の周縁には、略半円凹部状の第２の係合部１２が等間隔で複数形成されている。また、摺動部材１０の後部には、段部１４を介して爪車１３が形成されている。段部１４が、後記係止手段５０に係止される係止部を構成する。爪車１３は、一方に傾斜面１５、他方に垂直面１６が形成された歯１７が複数形成されている。摺動部材１０は、弾性部材６の先部を嵌合する凹部１９が形成され、凹部１９の底部に、前記弾性部材６の一端６ａを差し込む差込孔２０が形成されている。
【００２０】
案内軸２の先部には、筒状のストッパー部材２１と、環状の緩衝部材２５が設けられている。ストッパー部材２１は、硬質合成樹脂、金属等によって形成され、ネジ通し穴２２が設けられている。ストッパー部材２１は、ネジ通し穴２２及び透孔３にネジ２３を挿通してねじ込むことにより、案内軸２に固定されている。緩衝部材２５は、スポンジ、ゴム等の弾性素材によって形成され、摺動部材１０の衝突を緩衝する。
【００２１】
装置本体３０は、ピストル形状に形成され、前記案内軸２を保持する保持部３１と、保持部３１を取り付ける握り部９０とからなる。保持部３１は、矩形体状に形成され、右枠３２と、右枠３２にネジ３５等によって固定される左枠３３とからなる。右枠３２及び左枠３３の後部は、内側に案内軸２を保持する保持凹部３６，３７が形成され、外側にネジ通し穴３９，３９、４０，４０が形成されている。一方の枠、例えば左枠３３のネジ通し穴４０，４０には、雌ネジが形成されている。ネジ通し穴３９と３９の間の距離及びネジ通し穴４０と４０の間の距離は、案内軸２の取付孔５と５の間の距離と略同じとなっている。
【００２２】
案内軸２は、ネジ４１・・を右枠３２のネジ通し穴３９，３９、案内軸２の取付孔５，５、左枠３３のネジ通し穴４０，４０に差し込んでねじ込むことにより、保持部３１に固定される。なお、案内軸２は、ネジ４１・・を差し込む案内軸２の取付孔５，５の位置により、長さを調節し、弾性部材６に蓄積される弾力を調整することができる。
【００２３】
装置本体３０には、係止手段５０及び係止手段５０の係止を解除する解除手段６０が設けられている。係止手段５０は、矩形軸状に形成された係止杆５１と、係止杆５１の前部上面に形成された係止突起５２と、係止杆５１の後部上面に形成された軸受け片５３とからなる。軸受け片５３は、矩形体状に形成され、前記案内軸２を案内する案内孔５５が形成され、案内孔５５の周縁一側に前記弾性部材６の他端６ｂを係止する係止溝５６が形成されている。なお、弾性部材６の他端６ｂは、装置本体３０の一側、例えば、保持部３１の右枠３２又は左枠３３、案内軸２の後端等に係止されても構わない。軸受け片５３は、右枠３２に形成された開口４５と左枠３３に形成された開口４６から突出している。また、係止杆５１の略中央には、軸受け孔５７が形成されている。
【００２４】
解除手段６０は、略コ字状に形成された揺動部材６１と、揺動部材６１の下部に設けられた指掛け片６２と、揺動部材６１の後端に設けられた係合突起６３とからなる。揺動部材６１は、一対のアーム６５，６５を有し、前部に軸受け孔６６，６６が形成されている。前記係止杆５１は、一対のアーム６５，６５間に取り付けられる。
【００２５】
係止手段５０及び解除手段６０は、係止杆５１の軸受け孔５７及び一対のアーム６５，６５の軸受け孔６６，６６に支軸６７を差し込んで、回動自在に連結され、さらに支軸６７の両側が右枠３２の取付孔４２及び左枠３３の取付孔４３に回動自在に取り付けられ、保持部３１に対して回動可能となっている。係止手段５０は、これの軸受け片５３が解除手段６０のアーム６５，６５に載った形で係合している。
【００２６】
解除手段６０の指掛け片６２は、指を引っ掛けやすくするため湾曲しており、ピストルの引き金状になっている。解除手段６０の揺動部材６１は、前記保持凹部３６，３７の下部に形成された段部４７と揺動部材６１間に介装されたバネ状の弾性部材６９によって下方に付勢されている。
【００２７】
保持部３１の後部には、ロック手段７０が設けられている。ロック手段７０は、胴部７１と、胴部７１の上部に設けられた押し下げ片７２と、胴部７１の下部に形成された突出片７３とからなる。胴部７１は、前面に前記解除手段６０の係合突起６３を係合する係合凹部７５が形成され、さらに軸受け孔７６が形成されている。突出片７３には、コイルスプリング状の弾性部材７７の一端７８を引っ掛ける引っ掛け孔７９が形成されている。
【００２８】
ロック手段７０は、右枠３２の取付孔４８及び左枠３３の取付枠４９に取り付けられる支軸５８を軸受け孔７６に挿通して回動自在に取り付けられ、且つ弾性部材７７によって下方に付勢されている。弾性部材７７の他端５９は、後記握り部９０に固定された固定軸９４に係止されている。
【００２９】
保持部３１の先部には、前記摺動部材１０の爪車１３を遊嵌する凹部８５が形成されている。凹部８５は、右枠３２の先部に形成された略コ字状の切り欠き８６と、左枠３３の先部に形成された略コ字状の切り欠き８７とが重ね合わされて形成されている。
【００３０】
又、保持部３１の先部には、逆転防止手段８０が設けられている。逆転防止手段８０は、合成樹脂素材等の弾性素材によって形成され、可撓杆８１と、可撓杆８１の先部に形成された爪部８２と、可撓杆８１の後部に形成された固定部８３とからなり、爪部８２が凹部８５に突出し前記爪車１３と係合するように、固定部８３が右枠３１（又は左枠３３）に固定されている。固定は、接着剤、ネジ等によって行われる。
【００３１】
又、保持部３１の先部には、凹部８６を挟んで両側に、ガイド部材８８，８８がネジ３５によって取り付けられている。ガイド部材８８，８８は、後記発射体１００の内側面１０１を支持して発射体１００を安定して案内するためのものであり、特に素材に限定されるものではないが、スポンジ、合成ゴム、軟質合成樹脂素材等の弾性素材によって形成されている。
【００３２】
保持部３１は、握り部９０に取り付けられている。握り部９０は、右半体９１と、左半体９２とからなり、右半体９１と左半体９２が接合され、ネジ９３によって一体的に組み立てられる。保持部３１は、右半体９１の上端及び左半体９２の上端に載置され、右半体９１の上端壁９５と左半体９２の上端壁９６に挟まれ、上端壁９５及び上端壁９６に形成された透孔９７，９８に挿通するネジ９９・・によって固定して取り付けられている。
【００３３】
発射体１００は、筒型形状にプラスチック、紙、金属板等によって形成され、前端周縁が均等に若干重たくなるように、錘部材が設けられている。内周面１０１略中間部には、前記摺動部材１０の嵌合部材１１に係合する係合段部１０２が形成されている。この係合段部１０２には、嵌合部材１１の略半円凹部状の第２の係合部１２に係合する突起状の第１の係合部１０３が等間隔で複数形成されている。
【００３４】
発射装置１は、上記構成を有し、発射体１００を摺動部材１０の嵌合部材１１に、係合段部１０２が嵌合部材１１に当接するまで嵌挿する。発射体１００は、これの第１の係合部１０３が嵌合部材１１の第２の係合部１２と係合し、摺動部材１０に回動不能に取り付けられる。摺動部材１０を弾性部材６の弾性に抗して後方に押し込むと弾性部材６に発射体１００が発射される方向の弾力が蓄積され、摺動部材１０の係止部１４が係止手段５０の係止突起５２に係止されることにより（図３参照）、摺動部材１０は弾性部材６によって発射される方向に付勢された状態で固定される。発射体１００は、内周面１０１が保持部３１の先部に取り付けられたガイド部材８８，８８によって支持され、安定して案内される。
【００３５】
発射体１００を、弾性部材６の弾性に抗して案内軸２の円周方向の一方向に回転させ、弾性部材６に捩り方向の弾性を蓄える。発射体１００は、他方向に回転させようとしても、逆転防止手段８０の爪部８２が爪車１３の垂直面１６に引っ掛かり、回転不能であるが、一方向に回転させる場合は、逆転防止手段８０の爪部８２が爪車１３の傾斜面１５によって歯１７を乗り越えるので、回転させることができる。
【００３６】解除手段６０の指掛け片６２に指を掛け、弾性部材６９の弾性に抗して指掛け片６２を引くと、支軸６７を中心として揺動部材６１が上方（反時計方向）に回動しようとするが、係合突起６３がロック手段７０の係合凹部７５に係合してロックされているため、回動できず、指掛け片６２を引くことができない。即ち、解除手段６０は、ロック手段７０によって解除不能にロックされている。
【００３７】
ロック手段７０の押し下げ片７２を弾性部材７７の弾性に抗して押し下げると、ロック手段７０は、支軸５８を中心として回動し、係合突起６３がロック手段７０の係合凹部７５から外れてロックが解除されるため、解除手段６０が回動可能となり、解除手段６０の指掛け片６２に指を掛け、弾性部材６９の弾性に抗して指掛け片６２を引くと、支軸６７を中心として揺動部材６１が上方（反時計方向）に回動する。
【００３８】
揺動部材６１が上方（反時計方向）に回動すると、係止手段５１の一側に係合して、即ち、軸受け片５３を押し上げ、係止手段５１は、支軸６７を中心として反時計方向に回動し、係止突起５２が摺動部材６１の係止部１４から外れる。摺動部材１０は、図４に示すように、弾性部材６に蓄積された捩り方向の弾力により、他方に回転するとともに、弾性部材６に蓄積された発射体１００を発射する方向の弾力により押し出され、緩衝部材２５に圧接する。
【００３９】
摺動部材６に取り付けられた発射体１００は、摺動部材６とともに案内軸２の周囲を回転しながら案内軸２に沿って押し出され、摺動部材６が緩衝部材２５に圧接したとき、発射体１００に働く慣性力により、第１の係合部１０３と第２の係合部１２との係合が外れて案内軸２から発射させられ、回転しながら飛行する。従って、回転しないで発射される場合に比べ、飛行距離が長くなっており、しかも変化せず真っ直ぐに飛ばすことができる。
【００４０】
解除手段６０の指掛け片６２から指を外すと、弾性部材６９の弾性により、指掛け部材７３は元の位置に復帰し、同じく、ロック手段７０の押し下げ片７２の押し下げを解除すると、ロック手段７０が元の位置に復帰し、解除手段６０をロックする。
【００４１】
【発明の効果】
以上説明してきたように、本願請求項１に係る発射体の発射装置は、装置本体と、前記装置本体と弾性部材を介して連結された摺動部材であって、前記装置本体に対し移動することにより、前記発射体が発射される方向および前記発射体を回転させる方向に前記弾性部材に弾性力を蓄積可能な前記摺動部材と、前記摺動部材に設けられ、前記発射体と嵌合し取付可能な嵌合部材とからなるので、発射体を弾性部材の弾発力によって発射体を発射する発射装置において、発射体に対し発射する方向と平行な方向のみならず、発射体を回転させる方向にも弾性部材の弾発力を加えることが可能であるという効果がある。
【００４２】
本願請求項２に係る発射体の発射装置は、前記発射体が筒型形状であるので、筒型発射体を自動的に発射させることができ、経験とある程度の力が不要なので、子どもであっても簡単に、筒型発射体を発射することができるという効果がある。
【００４３】
本願請求項３に係る発射体の発射装置は、装置本体に、案内軸と、案内軸に沿って摺動する摺動部材と、摺動部材に形成され、筒型発射体を嵌合して取り付ける嵌合部材と、摺動部材を一方に付勢する弾性部材と、弾性部材の弾性に抗して摺動部材を他方向に移動させた位置で摺動部材を係止する係止手段と、係止手段の係止を解除して、弾性部材の弾性により摺動部材を一方に移動させ、嵌合部材に嵌合している筒型発射体を一方向に発射させる解除手段とが設けられているので、筒型発射体を自動的に発射させることができ、経験とある程度の力が不要なので、子どもであっても簡単に、筒型発射体を発射して飛行させることができるという効果がある。
【００４４】
本願請求項４に係る発射体の発射装置は、上記効果に加え、上記弾性部材が、コイルスプリング状に形成され、一端が摺動部材に係止され、他端が装置本体に係止され、弾性により摺動部材を回転させることができるようになっているので、筒型発射体を回転させて飛行させることができ、所望する方向に真っ直ぐに飛ばすことができるという効果がある。
【００４５】
本願請求項５に係る発射体の発射装置は、上記効果に加え、上記装置本体には、係止手段により係止された摺動部材を弾性部材の弾性に抗して一方向のみ回転可能にする逆転防止手段が設けられているので、筒型発射体の回転速度を自由に調節することができるという効果がある。
【００４６】
本願請求項６に係る発射体の発射装置は、上記効果に加え、上記装置本体には、解除手段をロックして解除不能にするロック手段が設けられているので、筒型発射体を不用意に発射してしまう虞がないという効果がある。
【００４７】
本願請求項７に係る発射体の発射装置は、上記効果に加え、上記嵌合部材の周囲に、筒型発射体の内側面に形成された第１の係合部に係合する第２の係合部が形成されているこので、摺動部材の回転を損失することなく筒型発射体に伝えることができるという効果がある。
【図面の簡単な説明】
【図１】本願発明に係る発射体の発射装置の一つの実施の形態を示す全体斜視図である。
【図２】図１の発射体の発射装置の分解斜視図である。
【図３】図１の側面断面図である。
【図４】図３の動きを説明する側面断面図である。
【図５】図１の要部断面図である。
【図６】発射体の一例である筒型発射体の斜視図である。
【符号の説明】
１  発射体の発射装置
２  案内軸
３  透孔
５  取付孔
６  弾性部材
６ａ  一端
６ｂ  他端
１０  摺動部材
１１  嵌合部材
１２  第２の係合部
１３  爪車
１４  係止部（段部）
１５  傾斜面
１６  垂直面
１７  歯
１９  凹部
２０  差込孔
２１  ストッパー部材
２２  ネジ通し穴
２３  ネジ
２５  緩衝部材
３０  装置本体
３１  保持部
３２  右枠
３３  左枠
３５  ネジ
３６  保持凹部
３７  保持凹部
３９  ネジ通し穴
４０  ネジ通し穴
４１  ネジ
４２  取付孔
４３  取付孔
４５  開口
４６  開口
４７  段部
４８  取付孔
４９  取付枠
５０  係止手段
５１  係止杆
５２  係止突起
５３  軸受け片
５５  案内孔
５６  係止溝
５７  軸受け孔
５８  支軸
５９  他端
６０  解除手段
６１  揺動部材
６２  指掛け片
６３  係合突起
６５  アーム
６６  軸受け孔
６７  支軸
６９  弾性部材
７０  ロック手段
７１  胴部
７２  押し下げ片
７３  突出片
７５  係合凹部
７６  軸受け孔
７７  弾性部材
７８  一端
７９  引っ掛け孔
８０  逆転防止手段
８１  可撓杆
８２  爪部
８３  固定部
８５  凹部
８６  切り欠き
８７  切り欠き
８８  ガイド部材
９０  握り部
９１  右半体
９２  左半体
９３  ネジ
９４  固定軸
９５  上端壁
９６  上端壁
９７  透孔
９８  透孔
９９  ネジ
１００  発射体（筒型発射体）
１０１  内周面
１０２  係合段部
１０３  第１の係合部
【図１】
2004215957.tif 000003
【図２】
2004215957.tif 000004
【図３】
2004215957.tif 000005
【図４】
2004215957.tif 000006
【図５】
2004215957.tif 000007
【図６】
2004215957.tif 000008